【事件の表示】
　特願２００１−２９３５０３「エマルジョン型粘着剤組成物」拒絶査定不服審判事件〔平成１５年　４月　３日出願公開、特開２００３−　９６４２０、請求項の数（８）〕について、次のとおり審決する。
【結　論】
　原査定を取り消す。
　本願の発明は、特許すべきものとする。
【理　由】
１．手続の経緯
　本願は、平成１３年９月２６日の出願であって、平成１６年４月６日付けの拒絶理由通知に対して同年６月１１日付けで意見書及び手続補正書が提出された後、平成１７年１１月２１日付けで拒絶査定がなされ、これに対し、同年１２月２２日付けで拒絶査定に対する審判請求がなされるとともに、平成１８年１月２０日付けで手続補正がなされた後、同年１１月１５日付けの当審における審尋に対して平成１９年１月９日付けで回答書が提出されたものである。
　
２．平成１８年１月２０日付けの手続補正についての補正却下の決定
　
［補正却下の決定の結論］
　平成１８年１月２０日付けの手続補正を却下する。
　
［理由］
　平成１８年１月２０日付けの手続補正は、補正前の特許請求の範囲、
「【請求項１】　（メタ）アクリル酸アルキルエステル（ａ１）を主成分とするエチレン性不飽和単量体（Ａ）及び粘着付与剤（Ｂ）からなる油溶成分を、水媒体中で乳化剤（Ｃ）を用いて、油溶成分の平均粒子径が１．０μｍ以下となるように乳化させた乳化液［Ｉ］を、重合開始剤（Ｄ）の存在下で重合して得られる樹脂エマルジョン［II］の存在下に、粘着付与剤（Ｂ）を追加することなく、更に、（メタ）アクリル酸アルキルエステル（ｅ１）を主成分とするエチレン性不飽和単量体（Ｅ）を重合してなることを特徴とするエマルジョン型粘着剤組成物。
【請求項２】　エチレン性不飽和単量体（Ｅ）が、カルボキシル基含有不飽和単量体（ｅ２）を含有してなることを特徴とする請求項１記載のエマルジョン型粘着剤組成物。
【請求項３】　カルボキシル基含有不飽和単量体（ｅ２）の含有量が、エチレン性不飽和単量体（Ｅ）に対して１〜１０重量％であることを特徴とする請求項２記載のエマルジョン型粘着剤組成物。
【請求項４】　エチレン性不飽和単量体（Ｅ）が、カルボキシル基含有不飽和単量体（ｅ２）及び架橋性基含有不飽和単量体〔但し、カルボキシル基含有不飽和単量体（ｅ２）を除く〕（ｅ３）を含有してなることを特徴とする請求項１記載のエマルジョン型粘着剤組成物。
【請求項５】　カルボキシル基含有不飽和単量体（ｅ２）の含有量が、エチレン性不飽和単量体（Ｅ）に対して１〜１０重量％で、架橋性基含有不飽和単量体〔但し、カルボキシル基含有不飽和単量体（ｅ２）を除く〕（ｅ３）の含有量が、エチレン性不飽和単量体（Ｅ）に対して０．０５〜５重量％であることを特徴とする請求項４記載のエマルジョン型粘着剤組成物。
【請求項６】　架橋性基含有不飽和単量体〔但し、カルボキシル基含有不飽和単量体（ｅ２）を除く〕（ｅ３）がケト基含有不飽和単量体であることを特徴とする請求項４又は５記載のエマルジョン型粘着剤組成物。
【請求項７】　更に、架橋剤（Ｆ）を配合してなることを特徴とする請求項１〜６いずれか記載のエマルジョン型粘着剤組成物。
【請求項８】　架橋剤（Ｆ）が、カルボジイミド系化合物、オキサゾリン系化合物、アジリジン系化合物、ヒドラジン系化合物から選ばれる少なくとも１種の化合物であることを特徴とする請求項７記載のエマルジョン型粘着剤組成物。」を
「【請求項１】　（メタ）アクリル酸アルキルエステル（ａ１）を主成分とするエチレン性不飽和単量体（Ａ）及び粘着付与剤（Ｂ）からなる油溶成分を、水媒体中で乳化剤（Ｃ）を用いて、油溶成分の平均粒子径が１．０μｍ以下となるように乳化させた乳化液［Ｉ］を、重合開始剤（Ｄ）の存在下で重合して得られる樹脂エマルジョン［II］の存在下に、粘着付与剤（Ｂ）を追加することなく、更に、（メタ）アクリル酸アルキルエステル（ｅ１）を主成分とするエチレン性不飽和単量体（Ｅ）を重合してなることを特徴とするエマルジョン型粘着剤組成物。
【請求項２】　エチレン性不飽和単量体（Ａ）と粘着付与剤（Ｂ）との混合割合が、エチレン性不飽和単量体（Ａ）１００重量部に対して、粘着付与剤（Ｂ）８〜３００重量部であることを特徴とする請求項１記載のエマルジョン型粘着剤組成物。
【請求項３】　エチレン性不飽和単量体（Ｅ）が、カルボキシル基含有不飽和単量体（ｅ２）を含有してなることを特徴とする請求項１記載のエマルジョン型粘着剤組成物。
【請求項４】　カルボキシル基含有不飽和単量体（ｅ２）の含有量が、エチレン性不飽和単量体（Ｅ）に対して１〜１０重量％であることを特徴とする請求項３記載のエマルジョン型粘着剤組成物。
【請求項５】　エチレン性不飽和単量体（Ｅ）が、カルボキシル基含有不飽和単量体（ｅ２）及び架橋性基含有不飽和単量体〔但し、カルボキシル基含有不飽和単量体（ｅ２）を除く〕（ｅ３）を含有してなることを特徴とする請求項１記載のエマルジョン型粘着剤組成物。
【請求項６】　カルボキシル基含有不飽和単量体（ｅ２）の含有量が、エチレン性不飽和単量体（Ｅ）に対して１〜１０重量％で、架橋性基含有不飽和単量体〔但し、カルボキシル基含有不飽和単量体（ｅ２）を除く〕（ｅ３）の含有量が、エチレン性不飽和単量体（Ｅ）に対して０．０５〜５重量％であることを特徴とする請求項５記載のエマルジョン型粘着剤組成物。
【請求項７】　架橋性基含有不飽和単量体〔但し、カルボキシル基含有不飽和単量体（ｅ２）を除く〕（ｅ３）がケト基含有不飽和単量体であることを特徴とする請求項５又は６記載のエマルジョン型粘着剤組成物。
【請求項８】　更に、架橋剤（Ｆ）を配合してなることを特徴とする請求項１〜７いずれか記載のエマルジョン型粘着剤組成物。
【請求項９】　架橋剤（Ｆ）が、カルボジイミド系化合物、オキサゾリン系化合物、アジリジン系化合物、ヒドラジン系化合物から選ばれる少なくとも１種の化合物であることを特徴とする請求項８記載のエマルジョン型粘着剤組成物。」に補正しようとするものである。
　すなわち、この補正は、補正前の特許請求の範囲の請求項１の発明の一部を分離して新たに請求項２とし、それに伴って補正前の特許請求の範囲の請求項２〜８を請求項３〜９に順次繰り下げるものである。
　請求項２については、もとの請求項１の発明の一部を分離、減縮して請求項１とは別に新たな請求項２とする補正であり、補正が、「特許請求の範囲の減縮」に該当するか否かの判断に当たっては、基本的には、各請求項について行うものとされているので、一つの請求項を二分し、二つの請求項に分ける補正は、「特許請求の範囲の減縮」を目的とするものとはいえない。しかも、誤記の訂正あるいは明りようでない記載の釈明を目的とするものにも該当しない。
　したがって、この補正は、特許法第１７条の２第４項の規定に違反しているので、特許法第１５９条第１項において読み替えて準用する同法第５３条第１項の規定により却下すべきものである。
　
３．本願発明について
　平成１８年１月２０日付けの手続補正書は、上記のとおり却下されたので、本願の請求項１〜８に係る発明は、平成１４年７月１日付けの手続補正書及び平成１６年６月１１日付けの手続補正書により補正された明細書の記載からみて、その特許請求の範囲の請求項１〜８に記載された事項により特定されるとおりのものであると認める。
　そして、本願については、原査定の拒絶理由を検討してもその理由によって拒絶すべきものとすることはできない。
　また、他に本願を拒絶すべき理由を発見しない。
　よって、結論のとおり審決する。